(57)【要約】【課題】  現場作業の効率を向上し、確実に鉛直ドレーン材の打ち込みが可能であり、効率良く軟弱地盤改良を行うことのできる真空圧密による軟弱地盤改良工法及びその工法に使用可能なドレーン材を提供する。【解決手段】  この真空圧密による軟弱地盤改良工法は、透水性の鉛直ドレーン材１１を軟弱地盤１中に打設し、鉛直ドレーン材内を減圧手段により減圧することにより軟弱地盤中の水を鉛直ドレーン材を通じて排水させる。鉛直ドレーン材は軟弱地盤中への挿入深さに対応した長さを有し、鉛直ドレーン材の上端に減圧手段に通じる排水用筒材１３を連結する気密性キャップ１２を取り付け、鉛直ドレーン材を気密性キャップを上側にし気密性キャップの深さが上面１０から５０ｃｍ以上でかつ地下水位面２に達するまで軟弱地盤中に挿入する。【選択図】  図１
2006241872.tif 000002
【特許請求の範囲】
【請求項１】
透水性の鉛直ドレーン材を軟弱地盤中に打設し、前記鉛直ドレーン材内を減圧手段により減圧することにより前記軟弱地盤中の水を前記鉛直ドレーン材を通じて排水させる真空圧密による軟弱地盤改良工法において、
前記鉛直ドレーン材は前記軟弱地盤中への挿入深さに対応した長さを有し、前記鉛直ドレーン材の上端に前記減圧手段に通じる排水用筒材を連結する気密性キャップを取り付け、
前記鉛直ドレーン材を前記気密性キャップを上側にし前記気密性キャップの深さが前記軟弱地盤の上面から５０ｃｍ以上でかつ地下水位面に達するまで前記軟弱地盤中に挿入することを特徴とする真空圧密による軟弱地盤改良工法。
【請求項２】
透水性の鉛直ドレーン材を軟弱地盤中に打設し、前記鉛直ドレーン材内を減圧手段により減圧することにより前記軟弱地盤中の水を前記鉛直ドレーン材を通じて排水させる真空圧密による軟弱地盤改良工法において、
前記鉛直ドレーン材は前記軟弱地盤中への挿入深さに対応した長さを有し、前記鉛直ドレーン材の上端に端部より一定長さ分だけ、内部は通水性を有し、周面からの通気を遮断させた不透気部を設けておき、前記不透気部の上端に前記減圧手段に通じる排水用筒材を連結する気密性キャップを取り付け、
前記鉛直ドレーン材の上端の前記不透気部の下端を前記軟弱地盤の上面から５０ｃｍ以上でかつ地下水位面に達するまで前記軟弱地盤中に挿入することを特徴とする真空圧密による軟弱地盤改良工法。
【請求項３】
前記鉛直ドレーン材は予め前記長さに切断されかつ前記排水用筒材と連結するように前記気密性キャップが取り付けられた状態で軟弱地盤改良対象地に搬入される請求項１または２に記載の真空圧密による軟弱地盤改良工法。
【請求項４】
前記排水用筒材がドレーン打設時に前記気密性キャップから離脱することを防止するために補強材が前記排水用筒材に沿って設けられている請求項１，２または３に記載の真空圧密による軟弱地盤改良工法。
【請求項５】
前記軟弱地盤中への挿入深さに対応した長さに切断した鉛直ドレーン材の上端側に固着した気密性キャップを介して連結した排水用筒材及びドレーン打設時の前記排水用筒材の前記気密性キャップからの脱離防止のための補強材の先端を他の鉛直ドレーン材の下端に固着するようにして複数の鉛直ドレーン材を１本に連結した状態で軟弱地盤改良対象地に搬入し、前記鉛直ドレーン材を打設し、その上端側の前記排水用筒材を切断して切り離す請求項１または２に記載の真空圧密による軟弱地盤改良工法。
【請求項６】
軟弱地盤中への挿入深さに対応した長さに切断された鉛直ドレーン材と、前記鉛直ドレーン材の上端側に固着した気密性キャップと、前記気密性キャップを介して前記鉛直ドレーン材に連結した排水用筒材と、を１組とし、
前記排水用筒材の先端を他の鉛直ドレーン材の下端に固着するようにして複数の組を１本に連結するとともに、前記排水用筒材が前記軟弱地盤中へのドレーン打設時に前記気密性キャップから離脱することを防止するために補強材が前記排水用筒材に沿って設けられ、前記補強材の先端を前記他の鉛直ドレーン材の下端に固着したことを特徴とするドレーン材。
【請求項７】
軟弱地盤中への挿入深さに対応した長さに切断した鉛直ドレーン材の上端に端部より一定長さ分だけ、内部は通水性を有し、外周面からの通気を遮断させた不透気部を設けた前記鉛直ドレーン材を使用し、
前記鉛直ドレーン材の上端の前記不透気部の下端を前記軟弱地盤の上面から５０ｃｍ以上でかつ地下水位面に達するまで前記軟弱地盤中に挿入し、
前記不透気部の上端を減圧手段に通じる排水路に連結させ、前記減圧手段により前記鉛直ドレーン材内を減圧させることを特徴とする真空圧密による軟弱地盤改良工法。
【請求項８】
前記軟弱地盤中への挿入深さに対応した長さに切断した前記鉛直ドレーン材と、前記上面からの挿入長さと前記上面から前記排水路までの突出長さとに対応した長さの前記不透気部とを１組とし、複数組をロールの状態で軟弱地盤改良対象地に搬入し、前記鉛直ドレーン材を軟弱地盤に挿入した後、その不透気部の上端を切断して切り離し、前記排水路に連結させる請求項７に記載の真空圧密による軟弱地盤改良工法。
【請求項９】
軟弱地盤中への挿入深さに対応した長さに切断された鉛直ドレーン材と、前記鉛直ドレーン材の上端に接続され、前記軟弱地盤の上面からの挿入長さと前記上面から排水路までの突出長さとに対応した長さを有し、内部は通水性を有し、外周面からの通気を遮断させた不透気部と、を１組とし、複数組をロールの状態に巻いたことを特徴とするドレーン材。
【請求項１０】
前記鉛直ドレーン材に、前記軟弱地盤中に存在する中間透水層に対応して、内部は通水性を有し、周面からの通気を遮断させた不透気部を設ける請求項１乃至５，７，８のいずれか１項に記載の真空圧密による軟弱地盤改良工法。
【請求項１１】
前記鉛直ドレーン材に、前記軟弱地盤中に存在する中間透水層に対応して、内部は通水性を有し、周面からの通気を遮断させた不透気部を設けた請求項６または９に記載のドレーン材。
【発明の詳細な説明】
【技術分野】
【０００１】
本発明は、真空圧密による軟弱地盤改良工法及びその工法に使用可能なドレーン材に関するものである。
【背景技術】
【０００２】
従来の真空圧密による軟弱地盤改良工法（以下、「真空圧密工法」と略すこともある。）の概要図を図１２，図１３に示す。図１２，図１３のように、軟弱地盤上にサンドマットを敷設した後、軟弱地盤内に一定間隔毎に多数の鉛直ドレーン材を上部がサンドマット内に埋め込まれるように打設し、その後、そのサンドマットの表面を密封シートで覆い、その密封シート内を、サンドマット内に埋め込んだ集水管を通して真空ポンプを使用した減圧手段で減圧させる方法が公知である。この従来の真空圧密工法は、軟弱地盤中に挿入したドレーン内を減圧することにより大気圧を地盤表面に載荷し圧密及び排水を促進させることで、軟弱地盤を改良する工法である。
【０００３】
しかし、図１２，図１３の従来の真空圧密工法には次の問題がある。
(1)サンドマットの敷設にコストがかかる上に、集水効率が悪い（排水抵抗が大きい）ため必要な真空ポンプ容量が増大する。
(2)海砂の採取を制限する自治体が増えてきており、環境的側面から砂の使用量を少なくすることが望まれている。
(3)土砂処分場内で土砂の容積を減ずる減容化のために上記真空圧密工法を用いる場合、サンドマットの厚み分（通常１．０〜２．０ｍ）だけ新規の受け入れ土量が減少してしまう。
(4)上記真空圧密工法では密封シートが不可欠であるが、密封シートの端部を粘性土層内に１．５ｍ程度埋め込む必要があり、密封シートの敷設に工数と費用がかかる。
(5)密封シートの施工では高い気密性の保持が要求されるが、広範囲にわたる気密性確保のための作業には、細心の注意と高度な熟練を必要とする。
【０００４】
上述のような従来の真空圧密工法における各問題を解決する工法として、図１４（ａ）に示すように、鉛直ドレーン材の上端に端部より一定長さ分だけ、内部は通水性を有し外周面からの通気を遮断させた不透気部を設け、その不透気部の下端を軟弱地盤内に所定深さＨまで打ち込み、不透気部の上端に、排水用筒材を連通させた気密性キャップを、外周からの気密性を維持させて連結し、排水用筒材を減圧手段に連通させ、密封シートを不要にできる工法が開発されている（下記特許文献１、２参照）。
【０００５】
また、図１４（ｂ）に示すように、ドレーン材に予め気密性キャップと排水用筒材を接続したものを気密性キャップが軟弱地盤中の所定深さＨになるように打ち込み、排水用筒材を減圧手段に連通させるようにした工法も開発されている。
【０００６】
しかしながら、上述の図１４（ａ）、（ｂ）の各工法には次の問題がある。
(1)各鉛直ドレーン材の上端に気密性キャップを介して排水ホースを取り付ける図１４（ａ）に示す従来の工法は、連続した鉛直ドレーン材をリールに巻いて施工現場に搬入し、施工現場において、所定の挿入長さ毎に切断し、端部の不透気部を形成し、更には気密性キャップを装着する等の一連の作業を鉛直ドレーン材の打ち込み毎に行っていたため、現場作業工数が多く、多くの労力と時間を要する。
(2)予め各鉛直ドレーン材の上端に気密性キャップを介して排水ホースを取り付けたものを軟弱地盤中に挿入する図１４（ｂ）に示す従来の工法では、気密性キャップと排水ホースの連結には一般的に使用されるねじ締め式のホースバンドや番線締めの方法が採用され、また、他のドレーン材との連結には工業用のステープル（ホチキス）による固着などの方法が採用されていた。しかし、この場合、ドレーン打ち込み時に材料に作用する引張力によって、連結した排水ホースが引き裂けたり、気密性キャップや他のドレーン材の下端の連結部が脱離してしまうことがあり、そのたびに打設をやり直すなど手戻り作業が多く発生していた。
(3)不透気部の下端を埋め込む深度は経験的に１〜２ｍで施工されることが多かったが、どの深さまで軟弱地盤中に挿入すればよいかという詳細な検討は成されていなかった。
【特許文献１】特開２００１−２２６９５１号公報
【特許文献２】特開２００２−１３８４５６号公報
【発明の開示】
【発明が解決しようとする課題】
【０００７】
本発明は、上述のような従来の問題を考慮し、現場作業の効率を向上し、確実に鉛直ドレーン材の打ち込みが可能であり、効率良く軟弱地盤改良を行うことのできる真空圧密による軟弱地盤改良工法及びその工法に使用可能なドレーン材を提供することを目的とする。
【課題を解決するための手段】
【０００８】
上記目的を達成するために、本発明による第１の真空圧密による軟弱地盤改良工法は、透水性の鉛直ドレーン材を軟弱地盤中に打設し、前記鉛直ドレーン材内を減圧手段により減圧することにより前記軟弱地盤中の水を前記鉛直ドレーン材を通じて排水させる真空圧密による軟弱地盤改良工法において、前記鉛直ドレーン材は前記軟弱地盤中への挿入深さに対応した長さを有し、前記鉛直ドレーン材の上端に前記減圧手段に通じる排水用筒材を連結する気密性キャップを取り付け、前記鉛直ドレーン材を前記気密性キャップを上側にし前記気密性キャップの深さが前記軟弱地盤の上面から５０ｃｍ以上でかつ地下水位面に達するまで前記軟弱地盤中に挿入することを特徴とする。
【０００９】
この第１の真空圧密による軟弱地盤改良工法によれば、鉛直ドレーン材を気密性キャップの深さ位置が軟弱地盤の上面から５０ｃｍ以上でかつ地下水位面に達するまで軟弱地盤中に挿入することで、気密性キャップの深さ位置以上の部分を気密シール層として利用でき、効率良く軟弱地盤改良を行うことができる。
【００１０】
本発明による第２の真空圧密による軟弱地盤改良工法は、透水性の鉛直ドレーン材を軟弱地盤中に打設し、前記鉛直ドレーン材内を減圧手段により減圧することにより前記軟弱地盤中の水を前記鉛直ドレーン材を通じて排水させる真空圧密による軟弱地盤改良工法において、前記鉛直ドレーン材は前記軟弱地盤中への挿入深さに対応した長さを有し、前記鉛直ドレーン材の上端に端部より一定長さ分だけ、内部は通水性を有し、周面からの通気を遮断させた不透気部を設けておき、前記不透気部の上端に前記減圧手段に通じる排水用筒材を連結する気密性キャップを取り付け、前記鉛直ドレーン材の上端の前記不透気部の下端を前記軟弱地盤内に前記軟弱地盤の上面から５０ｃｍ以上でかつ地下水位面に達するまで前記軟弱地盤中に挿入することを特徴とする。
【００１１】
この第２の真空圧密による軟弱地盤改良工法によれば、鉛直ドレーン材を鉛直ドレーン材と不透気部との境界部の深さ位置が軟弱地盤の上面から５０ｃｍ以上でかつ地下水位面に達するまで軟弱地盤中に挿入することで、鉛直ドレーン材の上端の深さ位置以上の部分を気密シール層として利用でき、効率良く軟弱地盤改良を行うことができる。
【００１２】
上記第１，第２の真空圧密による軟弱地盤改良工法において、鉛直ドレーン材の上端の深さ位置または気密性キャップの深さ位置を軟弱地盤の上面から５０ｃｍ以上とする理由は次のとおりである。真空ポンプ等の減圧手段を用いてドレーン材の内部を減圧して地盤を圧密させる場合、地盤に作用させ得る負圧はポンプの排水（排気）能力と系内に流入する水・空気の量との比によって決まる。気密シール層として利用する上部の層厚は薄くなるほど浸透流量が増えるため、必要となるポンプの容量が大きくなる。また、浸透流は初期には発生せずにある時期から圧密による排水量に付加される形で発生する。各深さ位置が軟弱地盤の上面から５０ｃｍ以上であると、浸透流発生後の浸透流量と圧密排水量との合計が初期の圧密排水量を上回らないため、地盤に負圧を効果的に作用させることができる。
【００１３】
また、鉛直ドレーン材の上端の深さ位置または気密性キャップの深さ位置を軟弱地盤の上面から地下水位面までの深さ以上とする理由は次のとおりである。同条件の土で透水係数（水を通過させる能力）と透気係数（空気を通過させる能力）とを比較すると、後者は前者の８０倍程度となることが判っており、更に空気は減圧によって容易に膨張するため、空気の流入を許すと所期の圧力を作用させるのに必要となるポンプ容量が甚大となって不経済となる。したがって、ドレーン材の上端を地下水位面以下とすることは、経済的に軟弱地盤改良工法を実施する上で重要であり、ポンプ容量が大きくなり過ぎない。
【００１４】
上記第１，第２の真空圧密による軟弱地盤改良工法において、前記鉛直ドレーン材は予め前記長さに切断されかつ前記排水用筒材と連結するように前記気密性キャップが取り付けられた状態で軟弱地盤改良対象地に搬入されることが好ましい。これにより、作業現場において鉛直ドレーン材の切断や排水用筒材との連結や気密性キャップの取り付けが不要となり、現場作業工数が大幅に減り、現場作業の効率が向上し、効率良く軟弱地盤改良を行うことができる。
【００１５】
また、前記排水用筒材がドレーン打設時に前記気密性キャップから離脱することを防止するために補強材が前記排水用筒材に沿って設けられていることが好ましい。この補強材によりドレーン打設のときに排水用筒材が気密性キャップから離脱することを防止でき、また、排水用筒材の破損を防止できる。これにより、確実に鉛直ドレーン材の打ち込みが可能となり、効率良く軟弱地盤改良を行うことができる。
【００１６】
また、前記軟弱地盤中への挿入深さに対応した長さに切断した鉛直ドレーン材の上端側に固着した気密性キャップを介して連結した排水用筒材及びドレーン打設時の前記排水用筒材の前記気密性キャップからの脱離防止のための補強材の先端を他の鉛直ドレーン材の下端に固着するようにして複数の鉛直ドレーン材を１本に連結した状態で軟弱地盤改良対象地に搬入し、前記鉛直ドレーン材を打設し、その上端側の前記排水用筒材を切断して切り離すことが好ましい。これにより、現場におけるドレーン材の打設作業を確実かつ効率的に行うことができる。
【００１７】
本発明によるドレーン材は、軟弱地盤中への挿入深さに対応した長さに切断された鉛直ドレーン材と、前記鉛直ドレーン材の上端側に固着した気密性キャップと、前記気密性キャップを介して前記鉛直ドレーン材に連結した排水用筒材と、を１組とし、前記排水用筒材の先端を他の鉛直ドレーン材の下端に固着するようにして複数の組を１本に連結するとともに、前記排水用筒材が前記軟弱地盤中へのドレーン打設時に前記気密性キャップから離脱することを防止するために補強材が前記排水用筒材に沿って設けられ、前記補強材の先端を前記他の鉛直ドレーン材の下端に固着することを特徴とする。
【００１８】
このドレーン材によれば、上記第１，第２の真空圧密による軟弱地盤改良工法に鉛直ドレーン材として使用でき、作業現場において鉛直ドレーン材の切断や排水用筒材との連結や気密性キャップの取り付けが不要となり、現場作業工数が大幅に減り、現場作業の効率が向上し、効率良く軟弱地盤改良を行うことができるようになる。また、補強材によりドレーン打設のときに排水用筒材が気密性キャップから離脱することを防止でき、また、排水用筒材の破損を防止できる。これにより、確実に鉛直ドレーン材の打ち込みが可能となり、効率良く軟弱地盤改良を行うことができるようになる。
【００１９】
本発明による第３の真空圧密による軟弱地盤改良工法は、軟弱地盤中への挿入深さに対応した長さに切断した鉛直ドレーン材の上端に端部より一定長さ分だけ、内部は通水性を有し、外周面からの通気を遮断させた不透気部を設けた前記鉛直ドレーン材を使用し、前記鉛直ドレーン材の上端の前記不透気部の下端を前記軟弱地盤内に前記軟弱地盤の上面から５０ｃｍ以上でかつ地下水位面に達するまで前記軟弱地盤中に挿入し、前記不透気部の上端を減圧手段に通じる排水路に連結させ、前記減圧手段により前記鉛直ドレーン材内を減圧させることを特徴とする。
【００２０】
第３の真空圧密による軟弱地盤改良工法によれば、鉛直ドレーン材の上端に接続した不透気部の上端を減圧手段に通じる排水路に直接に連結させることができるので、従来の気密性キャップや排水ホースを省略できるため、より経済的な施工が可能となる。また、鉛直ドレーン材の上端の深さ位置を軟弱地盤の上面から５０ｃｍ以上とすることで、上述のように、浸透流発生後の浸透流量と圧密排水量との合計が初期の圧密排水量を上回らないため、地盤に負圧を効果的に作用させることができる。また、鉛直ドレーン材の上端の深さ位置または気密性キャップの深さ位置を軟弱地盤の上面から地下水位面までの深さ以上とすることは、経済的に軟弱地盤改良工法を実施する上で重要であり、ポンプ容量が大きくなり過ぎない。
【００２１】
上記第３の真空圧密による軟弱地盤改良工法において前記軟弱地盤中への挿入深さに対応した長さに切断した前記鉛直ドレーン材と、前記上面からの挿入長さと前記上面から前記排水路までの突出長さとに対応した長さの前記不透気部とを１組とし、複数組をロールの状態で軟弱地盤改良対象地に搬入し、前記鉛直ドレーン材を軟弱地盤に挿入した後、その不透気部の上端を切断して切り離し、前記排水路に連結させることが好ましい。これにより、作業現場において鉛直ドレーン材の切断が不要となり、従来の排水用筒材との連結や気密性キャップの取り付けはないので、現場作業工数が大幅に減り、現場作業の効率が向上し、効率良く軟弱地盤改良を行うことができる。
【００２２】
本発明による別のドレーン材は、軟弱地盤中への挿入深さに対応した長さに切断された鉛直ドレーン材と、前記鉛直ドレーン材の上端に接続され、前記軟弱地盤の上面からの挿入長さと前記上面から排水路までの突出長さとに対応した長さを有し、内部は通水性を有し、外周面からの通気を遮断させた不透気部と、を１組とし、複数組をロールの状態に巻いたことを特徴とする。
【００２３】
このドレーン材によれば、上記第３の真空圧密による軟弱地盤改良工法に鉛直ドレーン材として使用でき、作業現場において鉛直ドレーン材の切断が不要となり、従来の排水用筒材との連結や気密性キャップの取り付けがないので、現場作業工数が大幅に減り、現場作業の効率が向上し、効率良く軟弱地盤改良を行うことができるようになる。
【００２４】
上記第１乃至第３の真空圧密による軟弱地盤改良工法において、前記鉛直ドレーン材に、前記軟弱地盤中に存在する砂層等の中間透水層に対応して、内部は通水性を有し、周面からの通気を遮断させた不透気部を設けることが好ましい。軟弱地盤中に存在する砂層等の中間透水層に対応して鉛直ドレーン材に不透気部を設けることで、中間透水層からの吸水がなくなり、軟弱地盤内の排水効率が低下せず、効率良く軟弱地盤改良を行うことができる。
【００２５】
また、上述の各ドレーン材は、前記鉛直ドレーン材に、前記軟弱地盤中に存在する中間透水層に対応して、内部は通水性を有し、周面からの通気を遮断させた不透気部を設けておくことが好ましい。
【００２６】
なお、上述の軟弱地盤の上面とは、軟弱地盤の表面であるが、軟弱地盤の上に砂質土層や礫層等が形成されている場合、その砂質土層や礫層等を考慮しない軟弱地盤の表面である。
【発明の効果】
【００２７】
本発明の真空圧密による軟弱地盤改良工法及びドレーン材によれば、現場作業の効率を向上し、確実に鉛直ドレーン材の打ち込みが可能であり、効率良く軟弱地盤改良を行うことができる。
【発明を実施するための最良の形態】
【００２８】
以下、本発明を実施するための最良の形態について図面を用いて説明する。
【００２９】
〈第１の実施の形態〉
【００３０】
図１は第１の実施の形態による軟弱地盤に打設された鉛直ドレーン材と気密性キャップと排水ホースの配置例を概略的に示す図である。図２は図１の鉛直ドレーン材の一例を示し、これを一部切り欠いて示す斜視図である。図３は図２の鉛直ドレーン材と排水ホースとを連結する気密性キャップを示す斜視図である。図４は図１の鉛直ドレーン材と集水管の配置例を示す平面図である。
【００３１】
図１に示すように、鉛直ドレーン材１１は透水性を有し、気密性キャップ１２を介して排水ホース１３に連結されている。気密性キャップ１２を上側にし気密性キャップ１２が軟弱地盤１の上面１０から５０ｃｍ以上でかつ地下水位面２に達するまで軟弱地盤１中に挿入される。軟弱地盤１の上面１０から突出して延びた排水ホース１３は集水管１５に接続され、排水路を構成する。
【００３２】
鉛直ドレーン材１１は、例えば、図２に示すようなプラスチックボードドレーンから構成され、内部に波型断面の補強材２１が収容された薄型角筒状の多孔質材からなる芯材２２の外周を不織布等からなる透水性被覆材２３にて被覆した構造を有する。なお、鉛直ドレーン材１１としては、例えば合成樹脂繊維製の多孔質材からなるケミカルドレーンなど、内部に中空若しくは多孔質の通水路が形成され、それ自体に保形性があるドレーン材を使用できる。
【００３３】
図３に示すように、気密性キャップ１２は、頂部に排水ホース１３が連結され、下端側開口部に鉛直ドレーン材１１の上端が挿入され、例えばテーピングや接着剤塗布により鉛直ドレーン材１１と気密性キャップ１２との間の気密性を確保する。
【００３４】
図４に示すように、図１の鉛直ドレーン材１１は、軟弱地盤改良対象地に多数本が打ち込まれ、気密性キャップ１２を介して連結された排水ホース１３の先端はそれぞれ集水管１５に連結され、集水管１５を減圧手段である真空ポンプ２０に連通させ、集水管１５、排水ホース１３を通じて鉛直ドレーン材１１内を減圧し、軟弱地盤１から水を吸い出し、軟弱地盤１の上面１０の外部へと排水するようにして真空圧密による軟弱地盤改良を行う。
【００３５】
図１の鉛直ドレーン材１１は、工場での製造時に、図２，図３のように、予め挿入深さに対応した長さに切断された鉛直ドレーン材１１の上端に気密性キャップ１２を取り付け、気密性キャップ１２に排水ホース１３を連結したドレーン材として軟弱地盤改良の施工現場に搬入されることが好ましい。これにより、施工現場において鉛直ドレーン材１１の切断や気密性キャップ１２の取り付けや排水ホース１３の気密性キャップ１２への連結が不要となり、現場作業工数が大幅に減り、現場作業の効率が向上し、効率良く軟弱地盤改良を行うことができる。
【００３６】
また、鉛直ドレーン材１１は図５，図６のようなドレーン材を用いるようにしてもよい。図５は、図１、図２〜図４の鉛直ドレーン材による軟弱地盤改良工法に使用可能なドレーン材の要部を示す側面図（ａ）及びその一部拡大図（ｂ）である。図６は図５のロール状に巻いたドレーン材の外観を示す図である。
【００３７】
図５（ａ）、（ｂ）、図６のように、ドレーン材３０は、予め工場での製作時に、軟弱地盤中への挿入深さに対応した長さに切断した鉛直ドレーン材１１ａの上端に固着した気密性キャップ１２から一体に突設した排水ホース１３及び補強材３１の先端を他の鉛直ドレーン材１１ｂの下端に固着するようにして多数の鉛直ドレーン材を１本に連結し巻いたロール状態で地盤改良現場に搬入できる。
【００３８】
鉛直ドレーン材１１ａを打設した後、連結した排水ホース１３の上端を切断することで切り離し、気密性キャップ１２と排水ホース１３をそれぞれ軟弱地盤１中に挿入する。これにより、現場での打設作業が確実にかつ効率的に行える。
【００３９】
また、補強材３１が排水ホース１３に沿って気密性キャップ１２に達するように設けられており、排水ホース１３の破損及び気密性キャップ１２からの脱離を防止できるので、確実に鉛直ドレーン材の打ち込みができ、効率良く軟弱地盤改良を行うことができる。補強材３１としては、平板状の硬質樹脂を使用できるが、これに限定されるものではない。
【００４０】
図１、図４のように、各鉛直ドレーン材１１を打設した後、連結した排水ホース１３を真空ポンプ２０などの減圧手段に通じる集水管１５に連結させ、真空ポンプ２０を作動させて各鉛直ドレーン材１１内を減圧させて真空圧密による軟弱地盤改良を行うが、このとき、図１のように、気密性キャップ１２の軟弱地盤１内の深さ位置を軟弱地盤１の上面１０より５０ｃｍ以上としかつ上面１０から地下水位面２までの深さ以上とする理由について説明する。
【００４１】
「軟弱地盤の上面より５０ｃｍ以上」とする理由
【００４２】
真空ポンプ等の手段を用いて鉛直ドレーン内部を減圧して地盤を圧密する場合、地盤に作用させ得る負圧はポンプの排水（排気）能力と系内に流入する水・空気の量との比によって決まる。参考文献１（米谷他、「真空圧密工法における粘性土層の気密保持効果」、第37回地盤工学研究発表会、No.534、2002.7）によれば、気密シール層として利用する上部の粘性土層厚は室内実験の結果から５０ｃｍでも機能するが、層厚が薄くなるほど浸透流量が増えるため、必要となるポンプの容量は大きくなることが解る。また、浸透流は改良初期には発生せず、ある時期（設計上のＴｈ＝０．１となる時点）から圧密による排水量に付加される形で発生する。そこで、標準的な施工条件で、浸透流発生後の浸透流量と圧密排水量との合計が初期の圧密排水量を上回らないようになる層厚と試算すると、５０ｃｍという結果になる。また、過去の施工実績からも、施工誤差を考慮すると５０ｃｍ程度は必要と判断される。
【００４３】
「軟弱地盤の上面から地下水位面までの深さ以上」とする理由
【００４４】
参考文献２（三木、「透水係数と透気係数」、土と基礎、Vol.19、No.6、1971）によると、同条件の土で透水係数（水を通過させる能力）と透気係数（空気を通過させる能力）を比較すると、後者は前者の８０倍程度となることが判っており、更に空気は減圧によって容易に膨張するため、空気の流入を許すと所期の圧力を作用させるのに必要となるポンプ容量が甚大となって不経済となる。したがって、ドレーン（排水）部の上端は地下水位面以下とすることは、経済的に軟弱地盤改良工法を実施する上で重要なポイントになる。
【００４５】
次に、図７により、図１とは別の鉛直ドレーン材と気密性キャップと排水ホースの配置例を説明する。図７の配置は、鉛直ドレーン材１１の上端と気密性キャップ１２との間に不透気部１４を設け、気密性キャップ１２は、軟弱地盤１内に挿入せず上面１０の外部に位置している。
【００４６】
不透気部１４は、内部は通水性を有し、外周からの通気を遮断する構成であり、例えば、図２の破線に示すように、鉛直ドレーン材１１の透水性被覆材２３の外周面に不透気性の合成樹脂コーティング２４を形成することで構成できる。
【００４７】
図７のように、鉛直ドレーン材１１を打設し、鉛直ドレーン材１１の上端１１ｃ（不透気部１４の下端）を軟弱地盤１の上面１０より５０ｃｍ以上でかつ上面１０から地下水位面２までの深さに達するように挿入する。これにより、図１の場合と同様の効果を得ることができる。
【００４８】
なお、不透気部１４（合成樹脂コーティング２４）の長さは、上面１０より５０ｃｍ以上でかつ上面１０から地下水位面２までの深さに達する長さを越えるようにする。また、かかる不透気部１４を含むドレーン材は、合成樹脂コーティング２４を気密性キャップ１２から所定長さに施すようにした以外は、図５と同様に構成することができる。
【００４９】
以上のように、図１、図７の真空圧密による軟弱地盤改良によれば、従来の気密シートを省略でき、気密シートを代替する上部の粘性土層厚を合理的な厚さ（軟弱地盤１の上面１０より５０ｃｍ以上でかつ上面１０から地下水位面２までの深さに達する）とすることで、経済的な設計、経費の節減が可能となる。
【００５０】
また、図５，図６のドレーン材３０によれば、作業現場において鉛直ドレーン材１１の切断や排水ホース１３との連結や気密性キャップ１２の取り付けが不要となり、現場作業工数が大幅に減り、現場作業の効率が向上し、効率良く軟弱地盤改良を行うことができる。
【００５１】
また、補強材３１を排水ホース１３に沿って気密性キャップ１２まで達するように設けられ、補強材３１の先端を他の鉛直ドレーン材１１ｂの下端に固着することで、ドレーン打設のとき、排水ホース１３の気密性キャップ１２からの離脱及び排水ホース１３の引き裂け等の破損を防止できる。従来、かかる脱離や破損が生じることで打設をやり直すなどの作業が多く発生していたのに対し、かかる脱離や破損を防止できるので、確実に鉛直ドレーン材１１の打ち込みが可能となり、効率良く軟弱地盤改良を行うことができる。
【００５２】
次に、図８により、図１において軟弱地盤１中に砂層等の中間透水層が存在する場合の対策について説明する。図８は図１の配置で軟弱地盤１中に砂層等の中間透水層が存在する場合の対策を説明するための図である。
【００５３】
軟弱地盤は通常、粘性土層からなるが、軟弱地盤の中間位置に砂層等の中間透水層が存在することがある。このような場合、図１による真空圧密による軟弱地盤改良工法を実行すると、中間透水層から地下水や空気が鉛直ドレーン材に流れ込み、軟弱地盤層内の排水効率が著しく低下し、真空圧密による軟弱地盤改良工法を効率的に実行できなくなる。この対策として、図８に示すように、軟弱地盤１内の中間位置に存在する砂層等の中間透水層１ａに対応して鉛直ドレーン材１１の中間に不透気部１１ｄを予め設けておく。
【００５４】
不透気部１１ｄは、図７の不透気部１４と同様の構成でよく、例えば、図２の破線に示すように、鉛直ドレーン材１１の透水性被覆材２３の外周面に不透気性の合成樹脂コーティング２４を形成する。不透気部１１ｄは、中間透水層１ａの上端、下端を含むように中間透水層１ａの層厚よりも長くすることが好ましい。
【００５５】
図８によれば、軟弱地盤１内の中間透水層１ａからの吸水がなくなり、軟弱地盤１内の排水効率が低下せず、図１のような真空圧密による軟弱地盤改良工法を効率良く実行することができる。
【００５６】
〈第２の実施の形態〉
【００５７】
図９は第２の実施の形態による軟弱地盤に打設された鉛直ドレーン材と不透気部と集水管の配置例を概略的に示す図である。図１０は図９の不透気部と集水管との取り付け状態を示す斜視図（ａ）及び別の取り付け状態を示す斜視図（ｂ）である。
【００５８】
第２の実施の形態は、図７と比べて、排水ホースと気密性キャップを省略し鉛直ドレーン材１１の上端から延びる不透気部１４を集水管１５まで延ばす配置である。
【００５９】
即ち、図９のように、長尺の鉛直ドレーン材１１の軟弱地盤１への挿入深さＬ（不透気部１４の軟弱地盤１への挿入長さＬ２を含む）及び上面１０からの突出長さＬ１に対応した長さ毎に、鉛直ドレーン材１１を打設する。このとき、鉛直ドレーン材１１の上端１１ｃ（不透気部１４の下端）を軟弱地盤１の上面１０より５０ｃｍ以上でかつ上面１０から地下水位面２までの深さに達するように挿入する。このように、不透気部１４の軟弱地盤１への挿入長さＬ２は、上面１０より５０ｃｍ以上でかつ上面１０から地下水位面２にを越える長さである。また、鉛直ドレーン材１１及び不透気部１４は、例えば、図２，図３と同様に構成することができる。
【００６０】
図１０（ａ）のように、集水管１５には集水管１５の外周面に周壁を貫通しかつ鉛直ドレーン材１１及び不透気部１４の形状に対応した平板長方形状の取付口４０が設けられている。不透気部１４は、取付口４０にその先端部１４ａを差し込んでから、締め付けバンドや接着剤やかすがい等を用いて固着した後、取付口４０と不透気部１４の先端部１４ａからなる接続部の外周を粘着テープで巻く等により固定する。
【００６１】
上述のように鉛直ドレーン材１１を図４の真空ポンプ２０などの減圧手段に通じる集水管１５に連結させ、真空ポンプ２０を作動させて各鉛直ドレーン材１１内を減圧させて真空圧密による軟弱地盤改良を行う。
【００６２】
なお、集水管１５の取付口４０は、図１０（ａ）のように、図９の鉛直ドレーン材１１の配置に対応して略１８０°反対側に設け、また、図４のような集水管１５の長手方向の打設間隔に合わせて所定の間隔で配置することが好ましい。
【００６３】
次に、図９の鉛直ドレーン材１１は図１１のようなドレーン材を用いることができる。図１１は、図９の鉛直ドレーン材による軟弱地盤改良工法に使用可能なドレーン材の要部を示す側面図（ａ）及びそのドレーン材をロール状に巻いた状態を示す平面図（ｂ）である。
【００６４】
図１１（ａ）のように、ドレーン材４５は、予め工場での製作時に、軟弱地盤中への鉛直ドレーン材１１の挿入長さ（Ｌ−Ｌ２）及び不透気部１４の長さ（Ｌ１＋Ｌ２）に対応した長さ毎に１組のドレーン材として複数組を１本に構成し、図１１（ｂ）のようにロール状に巻く。
【００６５】
図１１（ｂ）のロール状のドレーン材４５を地盤改良現場に搬入し、鉛直ドレーン材１１を軟弱地盤に挿入した後、その不透気部の上端を切断することで切り離し、図１０（ａ）のように集水管に接続する。そして、次の鉛直ドレーン材１１を同様に軟弱地盤１に打設する。
【００６６】
以上のように、図９，図１０（ａ）の真空圧密による軟弱地盤改良工法によれば、鉛直ドレーン材１１の上端１１ｃに接続した不透気部１４の上端を減圧手段に通じる集水管１５に直接に連結させることができるので、従来の気密性キャップや排水ホースを省略できるため、より経済的な施工が可能となる。また、従来の気密シートを省略でき、気密シートを代替する上部の粘性土層厚を合理的な厚さ（上面１０より５０ｃｍ以上でかつ上面１０から地下水位面２までの深さに達する）とすることで、経済的な設計、経費の節減が可能となる。
【００６７】
また、図１１のドレーン材によれば、従来の気密性キャップや排水ホースの脱離や破損の問題はなく、現場での打設作業が確実にかつ効率的に行うことができる。また、排水ホースのように厚みがないため、より多くの本数分のドレーン材を一つのロールに巻き取ることができ、施工効率が上がる。
【００６８】
以上のように本発明を実施するための最良の形態について説明したが、本発明はこれらに限定されるものではなく、本発明の技術的思想の範囲内で各種の変形が可能である。例えば、図１，図７，図９における鉛直ドレーン材は、図２，図３のものに限定されず、円筒状等の他の形状、他の構造のものであってもよいことはもちろんである。
【００６９】
また、第２の実施の形態において、鉛直ドレーン材１１及び不透気部１４を円筒状に構成した場合は、図１０（ｂ）のように、不透気部１４の形状に対応して集水管１５の取付口４１を円筒形状に構成し、不透気部１４の先端部１４ａを取付口４１に差し込み、締め付けバンドや接着剤やかすがい等を用いて固着した後、取付口４１と不透気部１４の先端部１４ａからなる接続部の外周を粘着テープで巻く等により固定する。
【００７０】
また、図７，図９において軟弱地盤１内の中間位置に砂層等の中間透水層が存在する場合、図８と同様に、中間透水層に対応して鉛直ドレーン材１１の中間に不透気部１１ｄ（図８）を予め設けておくことが好ましい。
【００７１】
また、図１，図７，図９において、軟弱地盤１の上面１０の上に砂質土層や礫層等が形成されてもよい。この場合、軟弱地盤の上面から５０ｃｍ以上の深さは、砂質土層や礫層等を考慮せずに図の上面１０を基準とする。
【図面の簡単な説明】
【００７２】
【図１】第１の実施の形態による軟弱地盤に打設された鉛直ドレーン材と気密性キャップと排水ホースの配置例を概略的に示す図である。
【図２】図１の鉛直ドレーン材を一部切り欠いて示す斜視図である。
【図３】図２の鉛直ドレーン材と排水ホースとを連結する気密性キャップを示す斜視図である。
【図４】図１の鉛直ドレーン材と集水管の配置例を示す平面図である。
【図５】図１、図２〜図４の鉛直ドレーン材による軟弱地盤改良工法に使用可能なドレーン材の要部を示す側面図（ａ）及びその一部拡大図（ｂ）である。
【図６】図５のロール状に巻いたドレーン材の外観を示す図である。
【図７】図１とは別の配置例を概略的に示す図である。
【図８】図１の配置で軟弱地盤１中に砂層等の中間透水層が存在する場合の対策を説明するための概略図である。
【図９】第２の実施の形態による軟弱地盤に打設された鉛直ドレーン材と不透気部と集水管の配置例を概略的に示す図である。
【図１０】図９の不透気部と集水管との取り付け状態を示す斜視図（ａ）及び別の取り付け状態を示す斜視図（ｂ）である。
【図１１】図９の鉛直ドレーン材による軟弱地盤改良工法に使用可能なドレーン材の要部を示す側面図（ａ）及びそのドレーン材をロール状に巻いた状態を示す平面図（ｂ）である。
【図１２】従来の軟弱地盤に打設された鉛直ドレーン材や集水管や真空ポンプの配置例を概略的に示す図である。
【図１３】図１２の従来の軟弱地盤に打設された鉛直ドレーン材や集水管や真空ポンプの配置例を概略的に示す平面図である。
【図１４】図１２の従来の真空圧密工法における各問題を解決する工法として特許文献１，２に開示された配置例（ａ）、（ｂ）を示す図である。
【符号の説明】
【００７３】
１ 軟弱地盤
１ａ 中間透水層
２ 地下水位面
１０ 軟弱地盤１の上面
１１ 鉛直ドレーン材
１１ａ 鉛直ドレーン材
１１ｂ 他の鉛直ドレーン材
１１ｃ 鉛直ドレーン材の上端
１１ｄ 不透気部
１２ 気密性キャップ
１３ 排水ホース（排水用筒材）
１４ 不透気部
１４ａ 不透気部の先端部
１５ 集水管
２０ 真空ポンプ（減圧手段）
２１ 補強材
２２ 芯材
２３ 透水性被覆材
２４ 合成樹脂コーティング
３０ ドレーン材
３１ 補強材
４０ 取付口
４１ 取付口
４５ ドレーン材
Ｌ 挿入深さ
Ｌ１ 突出長さ
Ｌ２ 挿入長さ
【図１】
2006241872.tif 000003
【図２】
2006241872.tif 000004
【図３】
2006241872.tif 000005
【図４】
2006241872.tif 000006
【図５】
2006241872.tif 000007
【図６】
2006241872.tif 000008
【図７】
2006241872.tif 000009
【図８】
2006241872.tif 000010
【図９】
2006241872.tif 000011
【図１０】
2006241872.tif 000012
【図１１】
2006241872.tif 000013
【図１２】
2006241872.tif 000014
【図１３】
2006241872.tif 000015
【図１４】
2006241872.tif 000016